(57)【特許請求の範囲】
【請求項１】
複数のレーザダイオードを整列させた光源部と、
前記複数のレーザダイオードから射出したレーザビームを記録材料の記録面に副走査方向に整列させるビーム整列光学系と、
前記複数のレーザダイオードから射出したレーザビームと前記記録材料とを相対的に主走査方向に移動させる移動手段と、
前記複数のレーザダイオードから射出した各レーザビームのビーム強度を測定する測定手段と、
前記測定手段により測定された各レーザビームのビーム強度に応じて、各レーザビームのビーム強度が等しくなるように、前記複数のレーザダイオードの各レーザダイオードを制御するレーザダイオード制御手段と、を有する画像記録装置であって、
前記ビーム整列光学系は、
複数のレーザビームを収束する収束手段を有し、
前記収束手段によって前記複数のレーザビームが略一点に収束された収束点に、
フィルタにより、前記複数のレーザダイオードから射出したレーザビーム全ての露光強度をシフトさせるフィルタ調整手段を有することを特徴とする画像記録装置。
【請求項２】
前記フィルタ調整手段が、複数の濃度の異なるフィルタを選択的にレーザビームの光路に挿入離脱させることで、前記複数のレーザダイオードから射出したレーザビーム全ての露光強度をシフトさせるものであることを特徴とする請求項１に記載の画像記録装置。
【請求項３】
前記フィルタ調整手段が、光学くさびフィルタを有し、当該光学くさびフィルタへのビーム入射位置を変えることで、前記複数のレーザダイオードから射出したレーザビーム全ての露光強度をシフトさせるものであることを特徴とする請求項１に記載の画像記録装置。
【請求項４】
前記光学くさびフィルタがディスク型光学くさびフィルタであり、当該ディスク型光学くさびフィルタへのビーム入射位置が当該ディスク型光学くさびフィルタの同一半径方向になるように、前記複数のレーザダイオードから射出したレーザビームを当該ディスク型光学くさびフィルタへ入射させることを特徴とする請求項３に記載の画像記録装置。
【請求項５】
複数のレーザダイオードを整列させた光源部と、
前記複数のレーザダイオードから射出したレーザビームを記録材料の記録面に副走査方向に整列させるビーム整列光学系と、
前記複数のレーザダイオードから射出したレーザビームと前記記録材料とを相対的に主走査方向に移動させる移動手段と、
前記複数のレーザダイオードから射出した各レーザビームのビーム強度を測定する測定手段と、
前記測定手段により測定された各レーザビームのビーム強度に応じて、各レーザビームのビーム強度が等しくなるように、前記複数のレーザダイオードの各レーザダイオードを制御するレーザダイオード制御手段と、を有する画像記録装置であって、
前記ビーム整列光学系は、
複数のレーザビームを収束する収束手段を有し、
前記収束手段によって前記複数のレーザビームが略一点に収束された収束点に、
偏光子により、前記複数のレーザダイオードから射出したレーザビーム全ての露光強度をシフトさせる偏光子調整手段を有することを特徴とする画像記録装置。
【請求項６】
複数のレーザダイオードを整列させた光源部と、
前記複数のレーザダイオードから射出したレーザビームを記録材料の記録面に副走査方向に整列させるビーム整列光学系と、
前記複数のレーザダイオードから射出したレーザビームと前記記録材料とを相対的に主走査方向に移動させる移動手段と、
前記複数のレーザダイオードから射出した各レーザビームのビーム強度を測定する測定手段と、
前記測定手段により測定された各レーザビームのビーム強度に応じて、前記複数のレーザダイオードの各レーザダイオードを制御するレーザダイオード制御手段と、を有する画像記録装置であって、
前記測定手段が、前記ビーム整列光学系から出射したレーザビームを受光できる位置に相対的に移動可能な受光素子により、前記複数のレーザダイオードから射出した前記ビーム整列光学系から出射した各レーザビームを受光して、前記複数のレーザダイオードから射出した各レーザビームのビーム強度を測定するものであることを特徴とする請求項１乃至５のいずれか１項に記載の画像記録装置。
【請求項７】
前記受光素子が、前記レーザビームによる前記記録材料の記録面に相対的に移動可能であることを特徴とする請求項６に記載の画像記録装置。
【発明の詳細な説明】
【０００１】
【発明の属する技術分野】
本発明は、複数のレーザダイオードを整列させた光源部と、前記複数のレーザダイオードから射出したレーザビームを記録材料に副走査方向に整列させるビーム整列光学系と、前記複数のレーザダイオードから射出したレーザビームと前記記録材料とを相対的に主走査方向に移動させる移動手段と、を有する画像記録装置に関するものである。
【０００２】
【従来の技術】
複数のレーザダイオードを整列させた光源部と、前記複数のレーザダイオードから射出したレーザビームを記録材料に副走査方向に整列させるビーム整列光学系と、前記複数のレーザダイオードから射出したレーザビームと前記記録材料とを相対的に主走査方向に移動させる移動手段と、を有する画像記録装置において、従来、レーザビームの強度の調整はレーザダイオードに流す電流を制御することにより行っていた。
【０００３】
【発明が解決しようとする課題】
しかし、このような画像記録装置では、各レーザビームの強度を等しくなるように調整することと、複数のレーザダイオードから射出したレーザビーム全ての露光強度を調整することと、の両方をレーザダイオードに流す電流を制御することにより行う必要がある。そして、各レーザビームの強度を等しくなるように調整することは頻繁に行う必要はないが、複数のレーザダイオードから射出したレーザビーム全ての露光強度をシフトさせることは、出力画像の調子再現を変更したり、記録材料を変更したりするなどの場合に必ず行わなければならないので、頻繁に調整する必要がある。
【０００４】
しかし、レーザダイオードの電流と発光量との関係は比例関係になく、また、個々のレーザダイオードによって電流と発光量との関係が異なり、さらに、電流と発光量との関係は、経時により個々のレーザダイオードにより異なる変化をするので、複数のレーザダイオードから射出した各レーザビームのビーム強度を測定する測定手段を設け、出力画像の調子再現を変更したり、記録材料を変更したりするなどの場合など頻繁に、測定手段により測定された各レーザビームのビーム強度に応じて、複数のレーザダイオードの各レーザダイオードに流す電流を調整することを行わなければならず時間がかかった。
【０００５】
第一・第二の発明の目的は、以上のような課題を解決するもので、頻繁に行う必要がある出力画像の調子再現を変更したり、記録材料を変更したりするなどの場合など複数のレーザダイオードから射出したレーザビーム全ての露光強度をシフトさせることを短時間に、簡単に安定して行えるようにすることである。
【０００６】
また、光学系の手間で、各レーザダイオードからのレーザビームのビーム強度を測定して、複数のレーザダイオードの各レーザダイオードに流す電流を調整することが一般的であった。
【０００７】
しかし、これでは、経時によるレーザダイオードの発光強度の変動に起因するビーム強度の変動だけしか調整できず、光軸変化などに起因するビーム強度の変動は調整できなかった。
【０００８】
第三の発明の目的は、経時によるレーザダイオードの発光強度の変動だけでなく、光軸変化などに起因するビーム強度の変動を含めた各レーザビームのビーム強度の変動を良好に補正できるようにすることである。
【０００９】
また、従来の装置では、記録材料への記録位置がずれないようにするために、各レーザダイオードからのレーザビームの記録位置を主走査方向に一致させる必要があった。しかし、このため個々の装置で高精度な調整が、設置前や、経時的な使用により、必要であった。
【００１０】
第四の発明の目的は、複数のレーザダイオードの各レーザビームの記録材料上の記録位置が主走査方向にずれる程度に各レーザダイオードの取付精度が高くなくても、環境や経時などによる光軸ズレなどによる各レーザダイオードから射出したレーザビームの記録位置の主走査方向のズレの影響を良好に補正でき、良好に記録することができるようにすることである。
【００１１】
【課題を解決するための手段】
本発明の上記目的は、特許請求の範囲の各請求項に記載の発明を特定するための事項の全てにより達成される。以下、各請求項について説明する。但し引用項の説明と重複する事項は省略することがある。なお、各請求項において、特に規定がない限り、１又は複数の部材が本発明の複数の要素を兼ねてもよいことは言うまでもなく、また、複数の部材が本発明の１つの要素に相当してもよいことは言うまでもない。
【００１２】
〔請求項１〕『複数のレーザダイオードを整列させた光源部と、
前記複数のレーザダイオードから射出したレーザビームを記録材料の記録面に副走査方向に整列させるビーム整列光学系と、
前記複数のレーザダイオードから射出したレーザビームと前記記録材料とを相対的に主走査方向に移動させる移動手段と、
前記複数のレーザダイオードから射出した各レーザビームのビーム強度を測定する測定手段と、
前記測定手段により測定された各レーザビームのビーム強度に応じて、各レーザビームのビーム強度が等しくなるように、前記複数のレーザダイオードの各レーザダイオードを制御するレーザダイオード制御手段と、を有する画像記録装置であって、
前記ビーム整列光学系は、
複数のレーザビームを収束する収束手段を有し、
前記収束手段によって前記複数のレーザビームが略一点に収束された収束点に、
フィルタにより、前記複数のレーザダイオードから射出したレーザビーム全ての露光強度をシフトさせるフィルタ調整手段を有することを特徴とする画像記録装置。』
請求項１に記載の発明により、頻度が少ない各レーザビームの強度を揃えることは、複数のレーザダイオードの各レーザダイオードに流す電流を制御することで行い精度高く調整でき、頻繁に行われる複数のレーザダイオードから射出したレーザビーム全てのビーム強度をシフトさせることは、フィルタにより行うので、簡単に調整できる。
【００１３】
〔請求項２〕『前記フィルタ調整手段が、複数の濃度の異なるフィルタを選択的にレーザビームの光路に挿入離脱させることで、前記複数のレーザダイオードから射出したレーザビーム全ての露光強度をシフトさせるものであることを特徴とする請求項１に記載の画像記録装置。』
請求項２に記載の発明により、頻繁に行われる複数のレーザダイオードから射出したレーザビーム全てのビーム強度を複数の段階にシフトさせることができる。
【００１４】
〔請求項３〕『前記フィルタ調整手段が、光学くさびフィルタを有し、当該光学くさびフィルタへのビーム入射位置を変えることで、前記複数のレーザダイオードから射出したレーザビーム全ての露光強度をシフトさせるものであることを特徴とする請求項１に記載の画像記録装置。』
請求項３に記載の発明により、小型で簡単な構造のフィルタ調整手段で、頻繁に行われる複数のレーザダイオードから射出したレーザビーム全てのビーム強度を複数の段階又は連続的にシフトさせることができる。
【００１５】
〔請求項４〕『前記光学くさびフィルタがディスク型光学くさびフィルタであり、当該ディスク型光学くさびフィルタへのビーム入射位置が当該ディスク型光学くさびフィルタの同一半径方向になるように、前記複数のレーザダイオードから射出したレーザビームを当該ディスク型光学くさびフィルタへ入射させることを特徴とする請求項３に記載の画像記録装置。』
請求項４に記載の発明により、複数のレーザダイオードから射出した各レーザビームのビーム強度を、正確に同一量だけシフトさせることができる。
【００１７】
〔請求項５〕『複数のレーザダイオードを整列させた光源部と、
前記複数のレーザダイオードから射出したレーザビームを記録材料の記録面に副走査方向に整列させるビーム整列光学系と、
前記複数のレーザダイオードから射出したレーザビームと前記記録材料とを相対的に主走査方向に移動させる移動手段と、
前記複数のレーザダイオードから射出した各レーザビームのビーム強度を測定する測定手段と、
前記測定手段により測定された各レーザビームのビーム強度に応じて、各レーザビームのビーム強度が等しくなるように、前記複数のレーザダイオードの各レーザダイオードを制御するレーザダイオード制御手段と、を有する画像記録装置であって、
前記ビーム整列光学系は、
複数のレーザビームを収束する収束手段を有し、
前記収束手段によって前記複数のレーザビームが略一点に収束された収束点に、
偏光子により、前記複数のレーザダイオードから射出したレーザビーム全ての露光強度をシフトさせる偏光子調整手段を有することを特徴とする画像記録装置。』
請求項５に記載の発明により、頻度が少ない各レーザビームの強度を揃えることは、複数のレーザダイオードの各レーザダイオードに流す電流を制御することで行い精度高く調整でき、頻繁に行われる複数のレーザダイオードから射出したレーザビーム全てのビーム強度をシフトさせることは、偏光子により行うので、簡単に調整できる。
【００１９】
〔請求項６〕『複数のレーザダイオードを整列させた光源部と、
前記複数のレーザダイオードから射出したレーザビームを記録材料の記録面に副走査方向に整列させるビーム整列光学系と、
前記複数のレーザダイオードから射出したレーザビームと前記記録材料とを相対的に主走査方向に移動させる移動手段と、
前記複数のレーザダイオードから射出した各レーザビームのビーム強度を測定する測定手段と、
前記測定手段により測定された各レーザビームのビーム強度に応じて、前記複数のレーザダイオードの各レーザダイオードを制御するレーザダイオード制御手段と、を有する画像記録装置であって、
前記測定手段が、前記ビーム整列光学系から出射したレーザビームを受光できる位置に相対的に移動可能な受光素子により、前記複数のレーザダイオードから射出した前記ビーム整列光学系から出射した各レーザビームを受光して、前記複数のレーザダイオードから射出した各レーザビームのビーム強度を測定するものであることを特徴とする請求項１乃至５のいずれか１項に記載の画像記録装置。』
請求項６に記載の発明により、経時によるレーザダイオードの発光強度の変動だけでなく、光軸変化などに起因するビーム強度の変動を含めた各レーザビームのビーム強度の変動を良好に補正できる。
【００２０】
〔請求項７〕『前記受光素子が、前記レーザビームによる前記記録材料の記録面に相対的に移動可能であることを特徴とする請求項６に記載の画像記録装置。』
請求項７に記載の発明により、各レーザビームの前記記録材料の記録面におけるビーム強度を直接検出することができ、各レーザビームのビーム強度の変動を良好に補正できる。
【００２３】
〔用語その他の説明〕
偏光子とは、オーム社発行の『オプトエレクトロニクス用語辞典』にある広義の偏光子のことで、自然光を直線偏光、円偏光又は楕円偏光に変える素子のことで、偏光プリズム、偏光板、パイル型偏光器などが挙げられる。
【００２４】
本発明における「光学くさび」とは、写真工業出版社発行の日本写真学会写真用語委員会編の『写真用語辞典』に記載の「光学くさび」を含む概念で、所定の方向の距離に対して段階的又は連続的に光学濃度を変化させるように作製した板状の光吸収物であるが、波長が略一定のレーザビームの強度を変更するものであるから、波長によって光吸収が変化しない物質である必要はない。なお、ここで、所定の方向は、回転方向でもよいし、直線方向でもよいし、その他の方向でもよい。
【００２５】
本発明における「記録材料」とは、レーザビームを照射することにより、潜像又は顕像などの像が形成される材料のことで、レーザビームにより感光する感光材料であってもよいし、レーザビームを照射することにより、アブレーションにより版面が形成される材料であってもよいし、その他の材料であってもよい。
【００２６】
【発明の実施の形態】
以下に、本発明に関する具体例の一例を実施形態及び実施例として示すが、本発明はこれらに限定されない。また、実施形態及び実施例には、用語等に対する断定的な表現があるが、本発明の好ましい例を示すもので、本発明の用語の意義や技術的範囲を限定するものではない。
【００２７】
実施形態１
本実施形態の画像記録装置は、赤色光に感光する感光層が設けられたハロゲン化銀モノクローム写真感光材料である製版用写真フィルムに潜像を記録させる装置であり、赤色光の複数のレーザビームを同時に発生させ、主走査方向に移動するこの印画紙上に副走査方向ＭＳＤに整列させて照射することにより、印画紙に潜像を記録させる装置である。図１に本実施形態の画像記録装置の概略構成図を示し、以下、図１に基づいて、本実施形態の画像記録装置について説明する。
【００２８】
光学ユニット１には、複数本（例えば１０本）のレーザダイオードを整列させて設けられている光源部１０と、光源部１０の複数本のレーザダイオードから射出した複数本のレーザビームをドラム２に巻き付けられた製版用写真フィルムの記録面上に、副走査方向ＭＳＤに整列させるビーム整列光学系２０が設けられている。
【００２９】
ドラム２は、製版用写真フィルムを巻き付けて固定するもので、画像を記録させる時に、一定速度で回転することにより、複数本のレーザダイオードＬＤ１０〜ＬＤ１９から射出した複数本のレーザビームと製版用写真フィルムとを相対的に主走査方向に移動させるものである。
【００３０】
そして、光学ユニット１は、副走査方向ＭＳＤに移動可能であり、この光学ユニット１が、ドラム２に対して副走査方向ＭＳＤに移動することにより、ドラム２に巻き付けられて固定された製版用写真フィルム全体に潜像を記録させるものである。
【００３１】
また、受光素子３が、複数本のレーザビームによる製版用写真フィルムの記録面と同一平面上に設けられている。そして、光学ユニット１が副走査方向ＭＳＤに移動して、複数本のレーザビームが受光素子３に入射するようにすることで、受光素子３は、光源部１０の複数のレーザダイオードから射出しビーム整列光学系２０から出射した各レーザビームのビーム強度を測定する。
【００３２】
そして、本実施形態の画像記録装置のブロック図である図２で示すレーザダイオード制御部４は、受光素子３により測定された各レーザビームのビーム強度に応じて、各レーザビームのビーム強度が等しくなるように、光源部１０の複数のレーザダイオードの各レーザダイオードを制御する。
【００３３】
なお、光源部１０には、複数本のレーザダイオードＬＤ１０〜ＬＤ１９が所定の間隔で整列させて設けられている。そして、複数本のレーザダイオードＬＤ１０〜ＬＤ１９は、レンズ２１の手前の中心点ＣＰに向けてレーザビームを照射するように配置されている。
【００３４】
そして、ビーム整列光学系２０には、以下のものがある。レンズ２１は、これら複数本のレーザダイオードから射出した複数本のレーザビームを平行にする。そして、ミラー２２が、レンズ２１で平行になった複数本のレーザビームを直角に反射させて、さらに、ミラー２３が、この複数本のレーザビームを直角に反射させて、収束レンズ群２４に入射させる。そして、収束レンズ群２４が入射した複数本のレーザビームを調整面ＣＳの一点に収束させる。そして、調整面ＣＳを通過した複数本のレーザビームが縮小光学レンズ群２５に入射する。そして、縮小光学レンズ群２５が、入射した複数本のレーザビームを、ドラム２の上に巻き付けられた記録材料上の記録面ＲＳに縮小して結像させるようにする。そして、縮小光学レンズ群２５から出た複数本のレーザビームはシリンドリカルレンズ２６に入射する。そして、シリンドリカルレンズ２６は、主走査方向にのみ屈折力を有するレンズであり、複数本のレーザビームの記録面ＲＳでの主走査方向の位置を一定にさせるように収束させ、複数本のレーザビームを、図３に示すように記録面ＲＳの上で、副走査方向ＭＳＤに整列させる。
【００３５】
なお、図３は記録面ＲＳを正面から見た図で、副走査方向ＭＳＤにビーム径ＢＲの複数本のレーザビームをビームピッチＢＰで副走査方向ＭＳＤに整列させて、記録材料に潜像を記録させる。そして、ドラム２が１回転する間に、光学ユニット１が、ドラム２に対して副走査方向ＭＳＤに一定の移動量ＦＱ（＝１０×ＢＰ）移動することにより、ドラム２に巻き付けられて固定された製版用写真フィルム全体にムラなく潜像を記録させる。なお、ビーム径ＢＲ、ビームピッチＢＰ、移動量ＦＱの具体的な値としては、例えば、ビーム径ＢＲが１０．６μｍで、ビームピッチＢＰも同じく１０．６μｍで、移動量ＦＱが１０６μｍであることが好ましい例として挙げられる。
【００３６】
また、露光強度調整部５が調整面ＣＳの近傍に設けられている。そして、図４に、露光強度調整部５近傍の概略図を示す。露光強度調整部５は、複数の濃度の異なるＮＤフィルタ５１〜５５が、フィルタ駆動部材５６、５７によりレーザビーム光路に挿入離脱可能に設けられている。なお、ＮＤフィルタ５１〜５５は、無彩色のフィルタで、ＮＤフィルタ５１はＮＤ−８で濃度が２．４、ＮＤフィルタ５２はＮＤ−４で濃度が１．２、ＮＤフィルタ５３はＮＤ−２で濃度が０．６、ＮＤフィルタ５４はＮＤ−１の濃度が０．３、ＮＤフィルタ５５はＮＤ−１／２で濃度が０．１５である。
【００３７】
そして、本実施形態の画像記録装置のブロック図である図２で示すレーザダイオード制御部４は、受光素子３により測定された各レーザビームのビーム強度及びドラム２に巻かれて固定される記録材料の感度に応じて、露光強度調整量を求めて、求めた露光強度調整量に応じて、この露光強度調整部５に、複数のレーザダイオードから射出したレーザビーム全ての露光強度をシフトさせる。
【００３８】
ここで、レーザダイオード制御部４が、受光素子３により測定された各レーザビームのビーム強度に応じて、各レーザビームのビーム強度が等しくなるように光源部１０の複数のレーザダイオードの各レーザダイオードを制御し、受光素子３により測定された各レーザビームのビーム強度及びドラム２に巻かれて固定される記録材料の感度に応じて、露光強度調整量を求めて、求めた露光強度調整量に応じて、この露光強度調整部５に、複数のレーザダイオードから射出したレーザビーム全ての露光強度をシフトさせるための演算について説明する。
【００３９】
レーザダイオード制御部４には、予め標準となるビーム強度である標準ビーム強度ＳＢＩが設定されている。そして、受光素子３により測定された複数のレーザダイオードＬＤ１０〜ＬＤ１９から射出された各レーザビームのビーム強度をＢＩ１０〜ＢＩ１９とすると、これらのビーム強度ＢＩ１０〜ＢＩ１９の算術平均値ＭＢＩを求める。そして、ビーム強度の算術平均値ＭＢＩと標準ビーム強度ＳＢＩとから、以下の式で、露光強度調整量補正量ΔＲＰＩと目標ビーム強度ＴＢＩとを求める。
【００４０】
ΔＲＰＩ＝｜２×ｌｏｇ2（ＭＢＩ／ＳＢＩ）｜
ＴＢＩ＝ＳＢＩ×√２∧ΔＲＰＩ
そして、測定された各レーザビームのビーム強度ＢＩ１０〜ＢＩ１９と目標ビーム強度ＴＢＩとの比に応じてレーザダイオードに流す電流値を変更・調整して、再度、複数のレーザダイオードＬＤ１０〜ＬＤ１９からレーザビームを射出させ、受光素子３により複数のレーザダイオードＬＤ１０〜ＬＤ１９から射出された各レーザビームのビーム強度ＢＩ１０〜ＢＩ１９を測定することを繰り返して、各レーザビームのビーム強度ＢＩ１０〜ＢＩ１９と目標ビーム強度ＴＢＩとが略等しくなるように、各レーザダイオードＬＤ１０〜ＬＤ１９に流す電流値Ｉ１０〜Ｉ１９を求め、設定する。
【００４１】
また、レーザダイオード制御部４には、予め本実施形態の画像記録装置で潜像を記録させることができる複数の種類の製版用写真フィルムに各種類毎に固有のフィルム種露光強度調整量ＫＲＰＩが予め設定されている。そして、レーザダイオード制御部４は、潜像を記録する製版用写真フィルムの種類に応じたフィルム種露光強度調整量ＫＲＰＩを読みだす。そして、レーザダイオード制御部４は、露光強度調整量補正量ΔＲＰＩとフィルム種露光強度調整量ＫＲＰＩとを足して露光強度調整量ＲＰＩを求める。
【００４２】
ＲＰＩ＝ＫＲＰＩ＋ΔＲＰＩ
そして、レーザダイオード制御部４は、求めた露光強度調整量ＲＰＩを２進数の数値データで、露光強度調整部５に送信する。そして、露光強度調整部５は送信された露光強度調整量ＲＰＩに応じて、フィルタ５１〜５５のレーザビーム光路への挿入離脱を制御する。すなわち、露光強度調整量ＲＰＩの最下位の桁である１桁目が、『１』であれば、フィルタ５５をレーザビーム光路に挿入し、『０』であれば、フィルタ５５をレーザビーム光路に挿入しない。露光強度調整量ＲＰＩの２桁目が、『１』であれば、フィルタ５４をレーザビーム光路に挿入し、『０』であれば、フィルタ５４をレーザビーム光路に挿入しない。露光強度調整量ＲＰＩの３桁目が、『１』であれば、フィルタ５３をレーザビーム光路に挿入し、『０』であれば、フィルタ５３をレーザビーム光路に挿入しない。露光強度調整量ＲＰＩの４桁目が、『１』であれば、フィルタ５２をレーザビーム光路に挿入し、『０』であれば、フィルタ５２をレーザビーム光路に挿入しない。露光強度調整量ＲＰＩの５桁目が、『１』であれば、フィルタ５１をレーザビーム光路に挿入し、『０』であれば、フィルタ５１をレーザビーム光路に挿入しない。
【００４３】
これにより、頻度が少ない各レーザビームの強度を揃えることは、複数のレーザダイオードＬＤ１０〜ＬＤ１９の各レーザダイオードに流す電流を制御することで行い精度高く調整でき、頻繁に行われる複数のレーザダイオードＬＤ１０〜ＬＤ１９から射出したレーザビーム全てのビーム強度をシフトさせることは、フィルタ５１〜５５により行うので、簡単に調整できる。また、複数の濃度の異なるフィルタ５１〜５５を選択的にレーザビームの光路に挿入離脱させることで、複数のレーザダイオードＬＤ１０〜ＬＤ１９から射出したレーザビーム全ての露光強度をシフトさせるので、複数のレーザダイオードＬＤ１０〜ＬＤ１９から射出したレーザビーム全てのビーム強度を複数の段階にシフトさせることができる。
【００４４】
また、複数のレーザダイオードＬＤ１０〜ＬＤ１９から射出したレーザビーム全てを、収束レンズ群２４により略一点に収束させ、この収束点の近傍に、複数の濃度の異なるフィルタ５１〜５５が挿入離脱されるので、レーザビームとフィルタ５１〜５５との位置関係の自由度が増し、また、フィルタ５１〜５５のムラの影響を受けず、複数のレーザダイオードＬＤ１０〜ＬＤ１９から射出した各レーザビームのビーム強度を正確に同一量だけシフトさせることができる。
【００４５】
また、レーザビームによる製版用写真フィルムの記録面に相対的に移動可能な受光素子により、複数のレーザダイオードＬＤ１０〜ＬＤ１９から射出した各レーザビームを受光して、複数のレーザダイオードＬＤ１０〜ＬＤ１９から射出した各レーザビームのビーム強度ＢＩ１０〜ＢＩ１９を測定するものであるから、経時によるレーザダイオードＬＤ１０〜ＬＤ１９の発光強度の変動だけでなく、光軸変化などに起因するビーム強度の変動を含めた各レーザビームのビーム強度ＢＩ１０〜ＢＩ１９の変動を良好に補正できる。
【００４６】
また、受光素子３は、２次元ＣＣＤ撮像素子のように、記録面ＲＳにおける２次元的な光量分布を検出することができるもので、レーザビームによる製版用写真フィルムの記録面ＲＳに相対的に移動すると、複数のレーザダイオードＬＤ１０〜ＬＤ１９から射出した各レーザビーム毎の記録位置を検出することができる。
【００４７】
そして、レーザビームの記録位置は、図３に示すように副走査方向に一直線に並んでいることが好ましいが、実際には、シリンドリカルレンズ２６による整列効果にも係わらず、別の例の記録面ＲＳを正面から見た図５に示すように、各レーザビームの記録位置が主走査方向にずれていることがある。
【００４８】
そして、受光素子３が、複数のレーザダイオードＬＤ１０〜ＬＤ１９の各レーザダイオードから射出したレーザビームの記録位置ＢＣ１０〜ＢＣ１９を検出し、検出した記録位置ＢＣ１０〜ＢＣ１９を、図２に示す発光タイミング制御部６に送信する。そして、発光タイミング制御部６は、記録位置ＢＣ１０〜ＢＣ１９から、最もドラム回転方向で上流側にある記録位置（図５ではＢＣ１５）から副走査方向に延ばした直線を標準記録線ＳＢＬとして設定する。そして、発光タイミング制御部６は、各記録位置ＢＣ１０〜ＢＣ１９の標準記録線ＳＢＬからの偏差ΔＢＣ１０〜ΔＢＣ１９を求め、この偏差ΔＢＣ１０〜ΔＢＣ１９とドラム２の周速度ＶＤとから、複数のレーザダイオードＬＤ１０〜ＬＤ１９の各レーザダイオード毎に、遅延時間ＴＲ１０〜ＴＲ１９を以下の式で求める。
【００４９】
ＴＲｉ＝ΔＢＣｉ／ＶＤ  （ｉ＝１０〜１９の自然数）
そして、発光タイミング制御部６は、複数のレーザダイオードＬＤ１０〜ＬＤ１９の各レーザダイオードに入力される画像信号を各々、遅延時間ＴＲ１０〜ＴＲ１９だけ遅延させて、光源部１０に入力する。これにより、発光タイミング制御部６は、各レーザダイオード毎に個別に、受光素子３により検出された各レーザダイオードから射出したレーザビームの記録位置ＢＣ１０〜ＢＣ１９に応じて、各レーザダイオードの発光タイミングを遅延させるものである。
【００５０】
これにより、複数のレーザダイオードＬＤ１０〜ＬＤ１９の各レーザビームの記録材料上の記録位置ＢＣ１０〜ＢＣ１９が主走査方向ＳＳＤにずれる程度に各レーザダイオードＬＤ１０〜ＬＤ１９の取付精度が高くなくても、自動的に、各レーザダイオードから射出したレーザビームの記録位置ＢＣ１０〜ＢＣ１９を測定し、測定された各レーザダイオードから射出したレーザビームの記録位置ＢＣ１０〜ＢＣ１９に応じて各レーザダイオードの発光タイミングの遅延時間ＴＲ１０〜ＴＲ１９が決められ、制御できるので、自動的に、各レーザダイオード毎に個別に、当該レーザダイオードの発光タイミングを遅延させることができるので、環境や経時などによる光軸ズレなどによる各レーザダイオードから射出したレーザビームの記録位置ＢＣ１０〜ＢＣ１９の主走査方向ＳＳＤのズレの影響を良好に補正でき、記録画像の品質を維持するための手間が少なく、良好に記録することができる。
【００５１】
実施形態２
本実施形態の画像記録装置は、実施形態１の画像記録装置の露光強度調整部５の構造を変更した変形形態である。以下、実施形態１との相違点の全てを説明する。
【００５２】
図６に、本実施形態の画像記録装置の露光強度調整部５近傍の概略図を示す。露光強度調整部５は、濃度が副走査方向ＭＳＤの距離に対して比例して連続的に増加する光学くさびフィルタ５８を有する。そして、この光学くさびフィルタ５８は、フィルタ駆動部材６９により調整面ＣＳ上を副走査方向ＭＳＤに移動可能に保持されており、露光強度調整部５に入力された露光強度調整量に応じて、光学くさびフィルタ５８のこの露光強度調整量になる濃度の部分がビーム入射位置になるように、光学くさびフィルタ５８を駆動させて、光学くさびフィルタ５８へのビーム入射位置を調整する。これにより、小型で簡単な構造の露光強度調整部５で、頻繁に行われる複数のレーザダイオードから射出したレーザビーム全てのビーム強度を連続的にシフトさせることができる。
【００５３】
また、レーザダイオード制御部４が、受光素子３により測定された各レーザビームのビーム強度に応じて、各レーザビームのビーム強度が等しくなるように、光源部１０の複数のレーザダイオードの各レーザダイオードを制御し、受光素子３により測定された各レーザビームのビーム強度及びドラム２に巻かれて固定される記録材料の感度に応じて、露光強度調整量を求めて、求めた露光強度調整量に応じて、この露光強度調整部５に、複数のレーザダイオードから射出したレーザビーム全ての露光強度をシフトさせるための演算が実施形態１と相違する。
【００５４】
レーザダイオード制御部４には、予め標準となるビーム強度である標準ビーム強度ＳＢＩが設定されている。そして、受光素子３により測定された複数のレーザダイオードＬＤ１０〜ＬＤ１９から射出されビーム整列光学系２０から出射した各レーザビームのビーム強度をＢＩ１０〜ＢＩ１９とすると、これらのビーム強度ＢＩ１０〜ＢＩ１９の算術平均値ＭＢＩを求める。そして、ビーム強度の算術平均値ＭＢＩと標準ビーム強度ＳＢＩとから、以下の式で、露光強度調整量補正量ΔＲＰＩと目標ビーム強度ＴＢＩとを求める。
【００５５】
ΔＲＰＩ＝２×ｌｏｇ2（ＭＢＩ／ＳＢＩ）
ＴＢＩ＝ＭＢＩ
そして、測定された各レーザビームのビーム強度ＢＩ１０〜ＢＩ１９と目標ビーム強度ＴＢＩとの比に応じてレーザダイオードに流す電流値を変更・調整して、再度、複数のレーザダイオードＬＤ１０〜ＬＤ１９からレーザビームを射出させ、受光素子３により複数のレーザダイオードＬＤ１０〜ＬＤ１９から射出された各レーザビームのビーム強度ＢＩ１０〜ＢＩ１９を測定することを繰り返して、各レーザビームのビーム強度ＢＩ１０〜ＢＩ１９と目標ビーム強度ＴＢＩとが略等しくなるように、各レーザダイオードＬＤ１０〜ＬＤ１９に流す電流値Ｉ１０〜Ｉ１９を求め、設定する。
【００５６】
また、レーザダイオード制御部４には、予め本実施形態の画像記録装置で潜像を記録させることができる複数の種類の製版用写真フィルムに各種類毎に固有のフィルム種露光強度調整量ＫＲＰＩが予め設定されている。そして、レーザダイオード制御部４は、潜像を記録する製版用写真フィルムの種類に応じたフィルム種露光強度調整量ＫＲＰＩを読みだす。そして、レーザダイオード制御部４は、露光強度調整量補正量ΔＲＰＩとフィルム種露光強度調整量ＫＲＰＩとを足して露光強度調整量ＲＰＩを求める。
【００５７】
ＲＰＩ＝ＫＲＰＩ＋ΔＲＰＩ
そして、レーザダイオード制御部４は、求めた露光強度調整量ＲＰＩを２進数の数値データで、露光強度調整部５に送信する。そして、露光強度調整部５は送信された露光強度調整量ＲＰＩに応じて、光学くさびフィルタ５８のレーザビーム光路への挿入位置を制御する。
【００５８】
また、複数のレーザダイオードＬＤ１０〜ＬＤ１９から射出したレーザビーム全てを、収束レンズ群２４により略一点に収束させ、この収束点に、光学くさびフィルタ５８が位置するので、レーザビームと光学くさびフィルタ５８との位置関係の自由度が増し、また、光学くさびフィルタ５８のムラの影響を受けず、複数のレーザダイオードＬＤ１０〜ＬＤ１９から射出した各レーザビームのビーム強度を正確に同一量だけシフトさせることができる。
【００５９】
実施形態３
本実施形態の画像記録装置は、実施形態２の画像記録装置の光学くさびフィルタ５８をディスク型光学くさびフィルタ６０に変更した変形形態である。以下、実施形態２との相違点の全てを説明する。
【００６０】
図７に、本実施形態の画像記録装置のディスク型光学くさびフィルタ６０の収束レンズ群２４側から見た図を示す。また、本実施形態の画像記録装置の露光強度調整部５近傍の概略構成図を図８に示す。本実施形態のディスク型光学くさびフィルタ６０は、濃度が回転方向ＳＤの回転角に対して比例して連続的に増加する光学くさびフィルタである（図７では電子出願のため濃淡の表現力がなく断続的になっているが）。そして、このディスク型光学くさびフィルタ６０は、フィルタ駆動部材６１により調整面ＣＳ上を回転方向ＳＤに回転可能に保持されており、露光強度調整部５に入力された露光強度調整量に応じて、ディスク型光学くさびフィルタ６０のこの露光強度調整量になる濃度の部分がビーム入射位置ＢＩＰになるように、ディスク型光学くさびフィルタ６０を駆動させて、ディスク型光学くさびフィルタ６０へのビーム入射位置ＢＩＰを調整する。これにより、小型で簡単な構造の露光強度調整部５で、頻繁に行われる複数のレーザダイオードから射出したレーザビーム全てのビーム強度を連続的にシフトさせることができる。
【００６１】
また、収束レンズ群２４により複数のレーザダイオードＬＤ１０〜ＬＤ１９から射出したレーザビーム全てのディスク型光学くさびフィルタ６０への入射位置ＢＩＰを略一点に収束させるので、レーザビームとディスク型光学くさびフィルタ６０との位置関係の自由度が増し、また、ディスク型光学くさびフィルタ６０のムラの影響を受けず、複数のレーザダイオードから射出した各レーザビームのビーム強度を正確に同一量だけシフトさせることができる。
【００６２】
実施形態４
本実施形態の画像記録装置は、実施形態３の画像記録装置のディスク型光学くさびフィルタ６０をディスク型偏光フィルタに変更した変形形態である。以下、実施形態２との相違点の全てを説明する。
【００６３】
そして、ディスク型偏光フィルタは、回転方向ＳＤの回転角に応じて透過する偏光の向きが変わる。そして、レーザビームはコヒーレントな光であるので偏光である。そして、光源部１０に設けられた複数のレーザダイオードＬＤ１０〜ＬＤ１９から出射するレーザビームの全てを同一の偏光となるように、光源部１０に複数のレーザダイオードＬＤ１０〜ＬＤ１９が配列されている。
【００６４】
従って、露光強度調整部５に入力された露光強度調整量に応じて、ディスク型偏光フィルタの回転角が、露光強度調整量に対応する透過率の向きになるように、ディスク型偏光フィルタを駆動させて、ディスク型偏光フィルタへのビーム入射位置ＢＩＰを調整する。これにより、小型で簡単な構造の露光強度調整部５で、頻繁に行われる複数のレーザダイオードから射出したレーザビーム全てのビーム強度を連続的にシフトさせることができる。
【００６５】
また、収束レンズ群２４により複数のレーザダイオードＬＤ１０〜ＬＤ１９から射出したレーザビーム全てのディスク型偏光フィルタへの入射位置ＢＩＰを略一点に収束させるので、レーザビームとディスク型偏光フィルタとの位置関係の自由度が増し、また、ディスク型偏光フィルタのムラの影響を受けず、複数のレーザダイオードから射出した各レーザビームのビーム強度を正確に同一量だけシフトさせることができる。
【００６６】
実施形態５
本実施形態の画像記録装置は、緑色光、赤色光及び赤外光の各々に感光する感光層が設けられたハロゲン化銀カラー写真感光材料である印画紙に潜像を記録させる装置であり、緑色光、赤色光及び赤外光の各々毎に、複数本（例えば１０本）のレーザビームを同時に発生させ、主走査方向に移動するこの印画紙上に副走査方向ＭＳＤに整列させて照射することにより、印画紙に潜像を記録させる装置である。図９に本実施形態の画像記録装置の概略構成図を示し、以下、図９に基づいて、本実施形態の画像記録装置について説明する。
【００６７】
光学ユニット１には、複数本の赤外光を発光するレーザダイオードを整列させて設けられている赤外光源部７０と、複数本の赤色光を発光するレーザダイオードを整列させて設けられている赤色光源部８０と、緑色光を発光するＨｅ−Ｎｅレーザ９１を有し、複数本のレーザビームを出射する緑色光源部９０と、赤外光源部７０の複数本のレーザダイオードから射出した複数本のレーザビームと、赤色光源部８０の複数本のレーザダイオードから射出した複数本のレーザビームと、緑色光源部９０から射出した複数本のレーザビームとを、ドラム２に巻き付けられた製版用写真フィルムの記録面上に、副走査方向ＭＳＤに整列させるビーム整列光学系３０が設けられている。
【００６８】
ドラム２は、製版用写真フィルムを巻き付けて固定するもので、画像を記録させる時に、一定速度で回転することにより、赤外光源部７０から射出した複数本のレーザビーム、赤色光源部８０から射出した複数本のレーザビーム、及び、緑色光源部９０から射出した複数本のレーザビームと、製版用写真フィルムとを、相対的に主走査方向に移動させるものである。
【００６９】
そして、光学ユニット１は、副走査方向ＭＳＤに移動可能であり、この光学ユニット１が、ドラム２に対して副走査方向ＭＳＤに移動することにより、ドラム２に巻き付けられて固定された製版用写真フィルム全体に潜像を記録させるものである。
【００７０】
また、受光素子３が、これらのレーザビームによる製版用写真フィルムの記録面と同一平面上に設けられている。そして、光学ユニット１が副走査方向ＭＳＤに移動して、これらのレーザビームが受光素子３に入射するようにすることで、受光素子３は、赤外光源部７０から射出した複数本のレーザビーム、赤色光源部８０から射出した複数本のレーザビーム、及び、緑色光源部９０から射出した複数本のレーザビームの各レーザビームのビーム強度を測定する。
【００７１】
そして、本実施形態の画像記録装置のブロック図である図２で示すレーザダイオード制御部４は、受光素子３により測定された赤外光源部７０から射出された各レーザビームのビーム強度に応じて、各レーザビームのビーム強度が等しくなるように、赤外光源部７０の複数のレーザダイオードの各レーザダイオードを制御し、また、受光素子３により測定された赤色光源部８０から射出された各レーザビームのビーム強度に応じて、各レーザビームのビーム強度が等しくなるように、赤色光源部８０の複数のレーザダイオードの各レーザダイオードを制御する。なお、緑色光源部９０は１つのＨｅ−Ｎｅレーザから均等な光量の複数本のレーザ光に分割する構造なので、この制御は行わない。
【００７２】
なお、赤外光源部７０には、複数本のレーザダイオードＬＤ７０〜ＬＤ７９が所定の間隔で整列させて設けられている。そして、複数本のレーザダイオードＬＤ７０〜ＬＤ７９は、レンズ３１の手前の中心点ＣＰに向けてレーザビームを照射するように配置されている。
【００７３】
また、赤色光源部８０には、複数本のレーザダイオードＬＤ８０〜ＬＤ８９が所定の間隔で整列させて設けられている。そして、複数本のレーザダイオードＬＤ８０〜ＬＤ８９は、レンズ３１の手前の中心点ＣＰに向けてレーザビームを照射するように配置されている。
【００７４】
また、緑色光源部９０は、Ｈｅ−Ｎｅレーザ９１が５４４ｎｍのレーザビームを出射し、ビームセパレータ９２に入射させる。ビームセパレータ９２は入射したレーザビームを複数本のレーザビームに分割する。そして、シリンドリカルレンズ９３により、主走査方向の向きのバラツキを少なくさせる。そして、複数本のレーザビームを音響光学素子９４に入射させる。そして、音響光学素子９４は、緑色光源部９０に入力された画像信号に応じて、音響光学素子９４を駆動させ、各レーザビームのＯＮ／ＯＦＦを制御する。そして、ＯＮのレーザビームがシリンドリカルレンズ９５を通って、複数本のレーザビームを出射させる。
【００７５】
そして、ビーム整列光学系３０には、以下のものがある。レンズ３１は、赤外光源部７０の複数本のレーザダイオードＬＤ７０〜ＬＤ７９から射出した複数本のレーザビームを互いに平行にする。そして、ミラー３２が、レンズ３１で平行になった複数本のレーザビームを直角に反射させて、さらに、ダイクロイックミラー３７が、この複数本のレーザビームを直角に反射させて、収束レンズ群３８に入射させる。また、レンズ３３は、赤色光源部８０の複数本のレーザダイオードＬＤ８０〜ＬＤ８９から射出した複数本のレーザビームを互いに平行にする。そして、ミラー３４が、レンズ３３で互いに平行になった複数本のレーザビームを直角に反射させて、さらに、ダイクロイックミラー３６、３７を通過して、収束レンズ群３８に入射させる。また、緑色光源部９０を出射した複数本のレーザビームは、ミラー３５で直角に反射し、ダイクロイックミラー３６で直角に反射し、ダイクロイックミラー３７を通過して収束レンズ群３８に入射する。
【００７６】
そして、収束レンズ群３８が入射したこれらのレーザビームを調整面ＣＳの一点に収束させる。そして、調整面ＣＳを通過した複数本のレーザビームが縮小光学レンズ群３９に入射する。そして、縮小光学レンズ群３９が、入射したこれらのレーザビームを、ドラム２の上に巻き付けられた記録材料上の記録面ＲＳに縮小して結像させるようにする。そして、縮小光学レンズ群３９から出た複数本のレーザビームはシリンドリカルレンズ４０に入射する。そして、シリンドリカルレンズ４０は、主走査方向にのみ屈折力を有するレンズであり、これらのレーザビームの記録面ＲＳでの主走査方向の位置を一定にさせるように収束させ、複数本のレーザビームを、図３に示すように記録面ＲＳの上で、副走査方向ＭＳＤに整列させる。
【００７７】
なお、図３は記録面ＲＳを正面から見た図で、赤色光源部７０を出射した複数本のレーザビームと赤外光源部８０を出射した複数本のレーザビームと緑色光源部９０を出射した複数本のレーザビームとは、互いに重なり合って、副走査方向ＭＳＤにビーム径ＢＲの複数本のレーザビームをビームピッチＢＰで副走査方向ＭＳＤに整列させて、記録材料に潜像を記録させる。そして、ドラム２が１回転する間に、光学ユニット１が、ドラム２に対して副走査方向ＭＳＤに一定の移動量ＦＱ（＝１０×ＢＰ）移動することにより、ドラム２に巻き付けられて固定された製版用写真フィルム全体にムラなく潜像を記録させる。なお、ビーム径ＢＲ、ビームピッチＢＰのオーダは、１〜１００μｍ程度である。
【００７８】
また、露光強度調整部５が調整面ＣＳの近傍に設けられている。そして、本実施形態の画像記録装置の露光強度調整部５は実施形態２の露光強度調整部５と同一である。
【００７９】
次に、レーザダイオード制御部４が、受光素子３により測定された各レーザビームのビーム強度に応じて、各レーザビームのビーム強度が等しくなるように、赤外光源部７０及び赤色光源部８０の複数本のレーザダイオードの各レーザダイオードを制御し、受光素子３により測定された各レーザビームのビーム強度及びドラム２に巻かれて固定される記録材料の感度に応じて、露光強度調整量を求めて、求めた露光強度調整量に応じて、この露光強度調整部５に、赤外光源部７０、赤色光源部８０及び緑色光源部９０から射出したレーザビーム全ての露光強度をシフトさせるための演算について説明する。
【００８０】
先ず、受光素子３により測定された緑色の各レーザビームのビーム強度にバラツキがあると、ビームセパレータ９２を調整する。そして、測定された緑色の各レーザビームのビーム強度のバラツキが無くなるまで調整する。そして、バラツキが無くなった緑色の各レーザビームのビーム強度の算術平均値をＭＢＩＧとする。そして、レーザダイオード制御部４には、標準となる緑色のレーザビームのビーム強度である緑色標準ビーム強度ＳＢＩＧと、標準となる赤色のレーザビームのビーム強度である赤色標準ビーム強度ＳＢＩＲと、標準となる赤外のレーザビームのビーム強度である赤外標準ビーム強度ＳＢＩＩＲとが予め設定されている。そして、受光素子３により測定された赤外及び赤色の各レーザビームのビーム強度をＢＩ７０〜ＢＩ７９、ＢＩ８０〜ＢＩ８９とすると、赤外及び赤色毎にこれらのビーム強度の算術平均値ＭＢＩＩＲ、ＭＢＩＲを求める。そして、これらのビーム強度の算術平均値ＭＢＩＧ、ＭＢＩＲ、ＭＢＩＩＲと緑色標準ビーム強度ＳＢＩＧ、赤色標準ビーム強度ＳＢＩＲ及び赤外標準ビーム強度ＳＢＩＩＲとから、以下の式で、露光強度調整量補正量ΔＲＰＩと緑色目標ビーム強度ＴＢＩＧと赤色目標ビーム強度ＴＢＩＲと赤外目標ビーム強度ＴＢＩＩＲとを求める。
【００８１】
ΔＲＰＩ    ＝  ２×ｌｏｇ2（ＭＢＩＧ／ＳＢＩＧ）
ＴＢＩＧ    ＝  ＭＢＩＧ
ＴＢＩＲ    ＝  ＳＢＩＲ×√２∧ΔＲＰＩ
ＴＢＩＩＲ  ＝  ＳＢＩＩＲ×√２∧ΔＲＰＩ
そして、測定された赤色の各レーザビームのビーム強度ＢＩ８０〜ＢＩ８９と赤色目標ビーム強度ＴＢＩＲとの比に応じて各レーザダイオードに流す電流を変更・調整して、再度、複数のレーザダイオードＬＤ８０〜ＬＤ８９からレーザビームを射出させ、受光素子３により複数のレーザダイオードＬＤ８０〜ＬＤ８９から射出された各レーザビームのビーム強度ＢＩ８０〜ＢＩ８９を測定することを繰り返して、各レーザビームのビーム強度ＢＩ８０〜ＢＩ８９と赤色目標ビーム強度ＴＢＩＲとが略等しくなるように、各レーザダイオードＬＤ８０〜ＬＤ８９に流す電流値Ｉ８０〜Ｉ８９を求め、設定する。
【００８２】
また、同様に、測定された赤外の各レーザビームのビーム強度をＢＩ７０〜ＢＩ７９と赤外目標ビーム強度ＴＢＩＩＲとの比に応じてレーザダイオードに流す電流値を変更・調整して、再度、複数のレーザダイオードＬＤ７０〜ＬＤ７９からレーザビームを射出させ、受光素子３により複数のレーザダイオードＬＤ７０〜ＬＤ７９から射出された各レーザビームのビーム強度ＢＩ７０〜ＢＩ７９を測定することを繰り返して、各レーザビームのビーム強度ＢＩ７０〜ＢＩ７９と赤外目標ビーム強度ＴＢＩＩＲとが略等しくなるように、各レーザダイオードＬＤ７０〜ＬＤ７９に流す電流値Ｉ７０〜Ｉ７９を求め、設定する。
【００８３】
また、レーザダイオード制御部４には、予め本実施形態の画像記録装置で潜像を記録させることができる複数の種類の製版用写真フィルムに各種類毎に固有のフィルム種露光強度調整量ＫＲＰＩが予め設定されている。そして、レーザダイオード制御部４は、潜像を記録する印画紙の種類に応じたフィルム種露光強度調整量ＫＲＰＩを読みだす。そして、レーザダイオード制御部４は、露光強度調整量補正量ΔＲＰＩとフィルム種露光強度調整量ＫＲＰＩとを足して露光強度調整量ＲＰＩを求める。
【００８４】
ＲＰＩ＝ＫＲＰＩ＋ΔＲＰＩ
そして、レーザダイオード制御部４は、求めた露光強度調整量ＲＰＩを２進数の数値データで、露光強度調整部５に送信する。そして、露光強度調整部５は送信された露光強度調整量ＲＰＩに応じて、光学くさびフィルタ５８のレーザビーム光路への挿入位置を制御する。
【００８５】
また、レーザビーム全てを、収束レンズ群３８により略一点に収束させ、この収束点に、光学くさびフィルタ５８が位置するので、レーザビームと光学くさびフィルタ５８との位置関係の自由度が増し、また、光学くさびフィルタ５８のムラの影響を受けず、全てのレーザビームのビーム強度を正確に同一量だけシフトさせることができる。
【００８６】
【発明の効果】
第一・第二の発明により、頻繁に行う必要がある出力画像の調子再現を変更したり、記録材料を変更したりするなどの場合など複数のレーザダイオードから射出したレーザビーム全ての露光強度をシフトさせることを短時間に、簡単に安定して行える。
【００８７】
第三の発明により、経時によるレーザダイオードの発光強度の変動だけでなく、光軸変化などに起因するビーム強度の変動を含めた各レーザビームのビーム強度の変動を良好に補正できる。
【００８８】
第四の発明により、複数のレーザダイオードの各レーザビームの記録材料上の記録位置が主走査方向にずれる程度に各レーザダイオードの取付精度が高くなくても、環境や経時などによる光軸ズレなどによる各レーザダイオードから射出したレーザビームの記録位置の主走査方向のズレの影響を良好に補正でき、良好に記録することができる。
【図面の簡単な説明】
【図１】実施形態１の画像記録装置の概略構成図。
【図２】実施形態１の画像記録装置のブロック図。
【図３】記録面ＲＳを正面から見た図。
【図４】実施形態１の露光強度調整部５近傍の概略図。
【図５】別の例の記録面ＲＳを正面から見た図。
【図６】実施形態２の画像記録装置の露光強度調整部５近傍の概略図。
【図７】実施形態３の画像記録装置のディスク型光学くさびフィルタ６０の収束レンズ群２４側から見た図。
【図８】実施形態３の画像記録装置の露光強度調整部５近傍の概略構成図。
【図９】実施形態５の画像記録装置の概略構成図。
【符号の説明】
ＣＰ  中心点
ＣＳ  調整面
ＭＳＤ  副走査方向
ＲＳ  記録面
ＳＳＤ  主走査方向
１  光学ユニット
２  ドラム
３  受光素子
４  レーザダイオード制御部
５  露光強度調整部
６  発光タイミング制御部
１０  光源部
２０  ビーム整列光学系
２１  レンズ
２２，２３  ミラー
２４  収束レンズ群
２５  縮小光学レンズ群
２６  シリンドリカルレンズ
５１〜５５  フィルタ
５８  光学くさびフィルタ
６０  ディスク型光学くさびフィルタ
７０  赤外光源部
８０  赤色光源部
９０  緑色光源部
【図１】
0003675121.tif 000002
【図２】
0003675121.tif 000003
【図３】
0003675121.tif 000004
【図４】
0003675121.tif 000005
【図５】
0003675121.tif 000006
【図６】
0003675121.tif 000007
【図７】
0003675121.tif 000008
【図８】
0003675121.tif 000009
【図９】
0003675121.tif 000010